【事件の表示】
　平成　９年特許願第３２５５９８号「液晶表示装置」拒絶査定不服審判事件〔平成１１年　６月１８日出願公開、特開平１１−１６１２３７〕について、次のとおり審決する。
【結　論】
　本件審判の請求は、成り立たない。
【理　由】
第１　手続の経緯 
　本願は、平成９年１１月２７日の出願であって、平成１４年８月８日付けで拒絶の理由が通知され、平成１４年１０月２１日付けで手続補正書が提出され、平成１４年１１月１８日付けで拒絶査定がなされ、これに対し、同年１２月２６日に拒絶査定に対する審判請求がなされるとともに、平成１５年１月２４日付けで手続補正書が提出されたものである。 
　 
第２　平成１５年１月２４日付け手続補正書による手続補正についての補正却下の決定 
［補正却下の決定の結論］ 
　　平成１５年１月２４日付け手続補正書による手続補正を却下する。　 
［理由］ 
１　平成１５年１月２４日付け手続補正書による補正の内容 
　本件補正は、その補正前の平成１４年１０月２１日付け手続補正書により補正された明細書の特許請求の範囲の請求項２ないし請求項５を削除するとともに、補正前の請求項１の記載、
「【請求項１】ソースライン及びゲートラインという２種類のバスラインの各交点に絵素をマトリクス状に配置し、同一のゲートラインに接続した複数の絵素を、絵素と同数のソースラインに乗った信号電圧によって一斉に更新し、極性の異なる信号を同時に出力するソースドライバによって前記信号電圧を供給する液晶表示装置において、前記ソースドライバの正極性の信号を出力する第１の出力バッファと、負極性の信号を出力する第２の出力バッファとを異なる電圧で駆動することを特徴とする液晶表示装置。」を、
「【請求項１】　ソースライン及びゲートラインという２種類のバスラインの各交点に絵素をマトリクス状に配置し、同一のゲートラインに接続した複数の絵素を、絵素と同数のソースラインに乗った信号電圧によって一斉に更新し、隣り合うソースラインに極性の異なる信号を同時に出力するソースドライバによって前記信号電圧を供給するドット反転駆動を行う液晶表示装置であって、前記ソースドライバは、ソースラインに前記ソースドライバの正極性の信号を出力する第１の出力バッファと、該第１の出力バッファが信号を出力した前記ソースラインに隣り合うソースラインに負極性の信号を出力する第２の出力バッファとを備え、両出力バッファをそれぞれ異なる電圧で駆動することを特徴とする液晶表示装置。」
とする補正を含むものである。
　
２　補正の目的の適否 
　請求項１に関する補正は、補正前の「極性の異なる信号を同時に出力するソースドライバによって前記信号電圧を供給する液晶表示装置」において、「ソースドライバ」を、「隣り合うソースライン」に極性の異なる信号を同時に出力するものに限定し、「液晶表示装置」を「ドット反転駆動を行う」ものに限定するものであり、また、補正前の「前記ソースドライバの正極性の信号を出力する第１の出力バッファと、負極性の信号を出力する第２の出力バッファとを異なる電圧で駆動する」において、「ソースドライバ」を、「第１の出力バッファ」と「第２の出力バッファ」を備えるものに限定し、「第１の出力バッファ」を、「ソースライン」にソースドライバの正極性の信号を出力するものに限定し、「第２の出力バッファ」を、「該第１の出力バッファが信号を出力した前記ソースラインに隣り合うソースライン」に負極性の信号を出力するものに限定し、これらの限定に沿って記載を整合させるために、「両出力バッファをそれぞれ」異なる電圧で駆動すると補正するものである。
　したがって、本件補正において、特許請求の範囲についてする補正は、特許法第１７条の２第４項第１号に規定する請求項の削除及び同項第２号に規定する特許請求の範囲の減縮を目的とするものである。
　
３　本件補正後の発明についての独立特許要件
（１）本件補正後の発明
　本件補正後の請求項１に係る発明（以下、「本願補正発明」という。）は、本件補正後の明細書の特許請求の範囲の請求項１に記載された事項により特定される次のとおりのものである。
「【請求項１】　ソースライン及びゲートラインという２種類のバスラインの各交点に絵素をマトリクス状に配置し、同一のゲートラインに接続した複数の絵素を、絵素と同数のソースラインに乗った信号電圧によって一斉に更新し、隣り合うソースラインに極性の異なる信号を同時に出力するソースドライバによって前記信号電圧を供給するドット反転駆動を行う液晶表示装置であって、前記ソースドライバは、ソースラインに前記ソースドライバの正極性の信号を出力する第１の出力バッファと、該第１の出力バッファが信号を出力した前記ソースラインに隣り合うソースラインに負極性の信号を出力する第２の出力バッファとを備え、両出力バッファをそれぞれ異なる電圧で駆動することを特徴とする液晶表示装置。」
　
（２）刊行物に記載された発明
　原査定の拒絶の理由において引用された、本願出願前に頒布された刊行物である特開平２−２６２１９２号公報（以下、「引用刊行物」という）には、図面とともに以下の事項が記載されている。 
　ア．　「［産業上の利用分野］本発明は、例えば液晶表示素子をＸ−Ｙマトリクス状に配置して画像の表示を行う液晶ディスプレイ装置に関する。
〔発明の概要〕本発明は液晶ディスプレイ装置に関し、極性が所定期間ごとに反転される映像信号を水平画素に対応するパルス信号にてサンプリングし、このサンプリングされた信号をホ−ルドする場合に、このホ−ルドを行う回路の電源電位を極性反転のタイミングでシフトすることによって、回路のダイナミッククレンジを有効に利用して、簡単な構成で良好な画像の表示が行われるようにしたものである。」（第１頁左下欄第１８行〜右下欄第１２行）
　イ．　「液晶ディスプレイ装置においては表示の垂直方向のシューティング等を防止する目的で信号を１水平期間ごとに反転することが行われている。すなわち入力端子（１）には第６図Ｅに示すように１水平期間ごとに反転されると共に１フィールドまたは１フレームごとに反転された信号が供給される。（第２頁右下欄第１行〜第７行）
　ウ．　「〔発明が解決しようとする課題〕これに対して、入力映像信号を駆動パルスφＨ１〜φＨｍの各期間ごとにサンプリングして並列化し、この並列化された信号を任意のロ−ド期間に一時にラインＬ１〜Ｌｍに供給することによって、ラインＬ１〜Ｌｍの充電が充分に行われるようにする方法が検討されている。・・・・・・・・・・・・・例えば第８図Ａに示すような映像信号が端子（１）に供給された場合に、素子Ｍａ１〜Ｍａｍは同図Ｂに示すように導通され、この導通期間の映像信号がサンプリングされてバッファアンプＢａ１〜Ｂａｍでホ−ルドされる。これに対して素子Ｍｂ１〜Ｍｂｍが同図Ｃに示すような水平ブランキングのタイミングで導通され、ホ−ルドされた信号がそれぞれバッファアンプＢｂｌ〜Ｂｂｍを通じてラインＬ１〜Ｌｍに供給（ロ−ド）される。以下従来と同様にして画像の表示が行われる。」（第３頁左上欄第１６行〜左下欄第１８行）
　
　エ．　「ところが上述の装置において、入力端子（１）に供給される信号は上述したように極性が所定期間ごとに反転されている。このため上述のバッファアンプＢａ１〜Ｂａｍ，Ｂｂ１〜Ｂｂｍにおいては、例えば第１０図に示すように極性反転された信号の全体を通すための極めて広いダイナミックレンジが要求され、回路設計及び素子の形成が容易ではなかった。また一般にバッファアンプでは、図中に示すようにＶＳＳ側に所定のカットオフ電圧ＶＡ、ＶＤＤ側にサチュレ−ション電圧ＶＳが存在し、バッファアンプに供給される電源電圧ＶＤＤ、ＶＳＳにはダイナミックレンジにこれらのＶＡ、ＶＳが加算された電圧が必要になる。このためダイナミックレンジを広くすると｜ＶＤＤ−ＶＳＳ｜が極めて大きくなり、各素子に高耐圧が必要とされ、回路設計及び素子の形成が一層困難になってしまうおそれもあった。この出願はこのような点に鑑みてなされたものである。」（第４頁左上欄第１４行〜右上欄第１３行）
　
　オ．　「〔課題を解決するための手段〕本発明は、垂直方向に平行に配設された複数の第１の信号線Ｌ１、Ｌ２・・・Ｌｍと、水平方向に平行に配設された複数の第２の信号線Ｇ１、Ｇ２・・・Ｇｎとが設けられ、これらの第１、第２の信号線の各交点にそれぞれ選択素子Ｍ１１，Ｍ１２・・・Ｍｎｍを介して液晶セルＣ１，Ｃ１２・・・Ｃｎｍが設けられてなる液晶ディスプレイ装置において、水平走査手段から順次発生されるパルス信号によって順次オンされる複数の水平スイッチ手段（ＣＭＯＳ素子Ｍａ１，Ｍａ２・・・Ｍａｍ）と、所定周期で極性の反転される入力映像信号（入力端子（１））が上記水平スイッチ手段を介して供給される複数のホ−ルド手段（バッファアンプＢａ１，Ｂａ２・・・Ｂａｍ）とを有し、上記ホ−ルド手段に供給される電源電位が上記入力映像信号の極性が反転されるタイミング（φ１，φ２）で所定の電位だけシフトされるようにしたことを特徴とする液晶ディスプレイ装置である。」（第４頁右上欄第１４行〜左下欄第１３行）
　
　カ．　「〔実施例〕第１図において、上述の課題で示した装置のバッファ回路（アンプ）Ｂａ１〜Ｂａｍ　Ｂｂｌ〜Ｂｂｍについて、その電源ＶＤＤ及びＶＳＳのラインがそれぞれスイッチ（６ａＤ）（６ａＳ）及び（６ｂＤ）（６ｂＳ）の可動接点に接続される。これらのスイツチ（６ａＤ）（６ｂＤ）の一方の固定接点がＶＤＤ１に接続され、他方の固定接点がＶＤＤ２に接続されると共に、スイツチ（６ａＳ）（６ｂＳ）の一方の固定接点がＶＳＳ１に接続され、他方の固定接点がＶＳＳ２に接続される。そしてこれらのスイツチ（６ａＤ）（６ａＳ）及び（６ｂＤ）（６ｂＳ）がそれぞれ端子（７ａ）及び（７ｂ）からの制御信号φ１、及びφ２によって制御される。なおスイッチ（６ａＤ）（６ａＳ）及び（６ｂＤ）（６ｂＳ）は現実にはスイッチング素子を用いた電子スイッチで構成される。従ってこの装置において、バッファアンプＢａ１〜Ｂａｍ，Ｂｂｌ〜Ｂｂｍの特性を例えば第２図に示すようにすることができ、制御信号φ１，φ２を入力信号の極性に合せて切換ることによって、ダイナミックレンジの狭い回路でも信号処理を良好に行うことができる。こうしてこの装置によれば、回路の電源電位を極性反転のタイミングでシフトすることによって、回路のダイナミックレンジを見掛け上拡大することができ、高耐圧素子等を用いることなく通常の回路で信号処理を行うことができるものである。さらに上述の装置において、信号φ１及びφ２は例えば第３図に示すように形成される。すなわち同図Ａ及びＢに示すような入力映像信号と水平ブランキングパルス（ＨＢＬＫ）に対して、信号φ１及びφ２は全体の位相が反転されると共に、信号φ１はパルス（ＨＢＬＫ）の後縁で位相が切換られ、φ２はパルス（ＨＢＬＫ）の前縁で位相が切換られる。これによってスイッチング素子Ｍａ１〜Ｍａｍでサンプリングされホ−ルドされた信号が、スイッチング素子Ｍｂ１〜Ｍｂｍで同時化されて各信号ラインＬ１〜Ｌｍにロ−ドされる際に、それぞれのバッファアンプＢａ１〜Ｂａｍ及びＢｂｌ〜Ｂｂｍのダイナミックレンジを供給される信号に合せることができる。」（第４頁右下欄第１行〜第５頁右上欄第１行）
　
　キ．　「また上述の説明では入力映像信号は１水平期間ごとに極性反転されるものとしたが、これをフィールドごととした場合には信号φ１及びφ２は第４図に示すようになる。すなわちこの場合に信号φ１及びφ２は垂直ブランキング期間（ＶＢＬＫ）の前縁で切換られると共に、このとき信号φ１及びφ２の位相は同相とされるものである。」（第５頁右上欄第６行〜第１２行）
　
　引用刊行物の「スイッチング素子Ｍａ１〜Ｍａｍでサンプリングされホ−ルドされた信号が、スイッチング素子Ｍｂ１〜Ｍｂｍで同時化されて各信号ラインＬ１〜Ｌｍにロ−ドされる」（上記摘記事項カ）という記載及び第１図の記載からみて、上記「同時化されて各信号ラインＬ１〜Ｌｍにロードされる」信号の電圧は、シフトレジスタ２、スイッチング素子Ｍａ１〜Ｍａｍ、Ｍｂ１〜Ｍｂｍ及びバッファアンプＢａ１〜Ｂａｍ、Ｂｂ１〜Ｂｂｍからなる回路によって各信号ラインＬ１〜Ｌｍに供給されるものであり、該信号の電圧によって、第２の信号線Ｇ１、Ｇ２・・・Ｇｎのうち同一の信号線に接続された複数の液晶セルが一斉に更新されることは明らかである。
　引用刊行物の「液晶ディスプレイ装置においては表示の垂直方向のシューティング等を防止する目的で信号を１水平期間ごとに反転することが行われている。すなわち入力端子（１）には第６図Ｅに示すように１水平期間ごとに反転されると共に１フィールドまたは１フレームごとに反転された信号が供給される。」（上記摘記事項イ）という記載及び「入力映像信号は１水平期間ごとに極性反転される」（上記摘記事項キ）という記載からみて、引用発明の「液晶ディスプレイ装置」はいわゆる「ライン反転駆動」を行うものであると認められる。
　また、引用刊行物の上記摘記事項カの記載、第１図及び第２図の記載からみて、バッファアンプＢｂ１〜Ｂｂｍ　の電源ＶＤＤ、ＶＳＳの電位は、入力信号の極性に合わせて、ＶＤＤ１、ＶＳＳ１またはＶＤＤ２、ＶＳＳ２に切り換えられ、その切り換えにより、バッファアンプＢｂ１〜Ｂｂｍ　の入出力特性は第２図Ｂ、Ｃに示されるような入力信号の極性に応じたものに切り換えられるようになっているから、引用発明の「バッファアンプＢｂ１〜Ｂｂｍ　」は、正極性の信号または負極性の信号を選択的に出力するものであり、正極性の信号と負極性の信号を出力する場合とで、それぞれ異なる電圧で駆動されるものであると認められる。
　
　したがって、以上の記載事項及び図面の記載からみて、引用刊行物には、次の発明（以下、「引用発明」という）が記載されていると認める。
「垂直方向に平行に配設された複数の第１の信号線Ｌ１、Ｌ２・・・Ｌｍと、水平方向に平行に配設された複数の第２の信号線Ｇ１、Ｇ２・・・Ｇｎとが設けられ、これらの第１、第２の信号線の各交点に液晶セルＣ１，Ｃ１２・・・Ｃｎｍをマトリクス状に配置したライン反転駆動を行う液晶ディスプレイ装置において、シフトレジスタ２、スイッチング素子Ｍａ１〜Ｍａｍ、Ｍｂ１〜Ｍｂｍ、バッファアンプＢａ１〜Ｂａｍ、Ｂｂ１〜Ｂｂｍ　からなる回路によって第１の信号線Ｌ１、Ｌ２・・・Ｌｍに供給される信号の電圧によって第２の信号線Ｇ１、Ｇ２・・・Ｇｎのうち同一の信号線に接続された複数の液晶セルが一斉に更新されるものであり、上記バッファアンプＢｂ１〜Ｂｂｍは、正極性の信号または負極性の信号を選択的に出力するものであり、正極性の信号と負極性の信号を出力する場合とで、それぞれ異なる電圧で駆動されるものであることを特徴とする液晶ディスプレイ装置」
　
（３）対比
　本願補正発明と引用発明とを対比すると、引用発明の「第１の信号線Ｌ１、Ｌ２・・・Ｌｍ」、「第２の信号線Ｇ１、Ｇ２・・・Ｇｎ」、「液晶セルＣ１，Ｃ１２・・・Ｃｎｍ」、「液晶ディスプレイ装置」、「シフトレジスタ２、スイッチング素子Ｍａ１〜Ｍａｍ、Ｍｂ１〜Ｍｂｍ及びバッファアンプＢａ１〜Ｂａｍ、Ｂｂ１〜Ｂｂｍからなる回路」、「バッファアンプＢｂ１〜Ｂｂｍ　」は、それぞれ、本願補正発明の「ソースライン」、「ゲートライン」、「絵素」、「液晶表示装置」、「ソースドライバ」、「出力バッファ」に相当する。
　引用発明の「第１の信号線」、「第２の信号線」は、ともに、各部に共通の伝送路を介して信号を時分割で伝送するものであって、いわゆるバスライン」であると言えるので、本願補正発明の「２種類のバスライン」に相当する。
　引用発明の「第２の信号線Ｇ１、Ｇ２・・・Ｇｎのうち同一の信号線に接続された複数の液晶セル」の数と「第１の信号線Ｌ１、Ｌ２・・・Ｌｍ」の数は同数であることは明らかである。
　引用刊行物の「スイッチング素子Ｍａ１〜Ｍａｍでサンプリングされホ−ルドされた信号が、スイッチング素子Ｍｂ１〜Ｍｂｍで同時化されて各信号ラインＬ１〜Ｌｍにロ−ドされる」（上記摘記事項カ）という記載及び第１図の記載からみて、引用発明の「シフトレジスタ２、スイッチング素子Ｍａ１〜Ｍａｍ、Ｍｂ１〜Ｍｂｍ及びバッファアンプＢａ１〜Ｂａｍ、Ｂｂ１〜Ｂｂｍからなる回路」は、隣り合う第１の信号線に信号を同時に出力するものである。さらに、引用刊行物の第１図及び第３図の記載から、１水平期間の間は、入力映像の極性は一定であり、「バッファアンプＢａ１〜Ｂａｍ」、「バッファアンプＢｂ１〜Ｂｂｍ　」にはそれぞれ共通の電源電位が印加されるから、引用発明の「シフトレジスタ２、スイッチング素子Ｍａ１〜Ｍａｍ、Ｍｂ１〜Ｍｂｍ及びバッファアンプＢａ１〜Ｂａｍ、Ｂｂ１〜Ｂｂｍからなる回路」は、隣り合う第１の信号線に同一の極性の信号を同時に出力するものである。
　本願補正発明の「ドット反転駆動」も引用発明の「ライン反転駆動」も、ともに、液晶の長寿命化、表示品位向上等のために液晶の駆動において一般的に採用される交流駆動である点で共通するものである。
　
　したがって、本願補正発明と引用発明とは、
「ソースライン及びゲートラインという２種類のバスラインの各交点に絵素をマトリクス状に配置し、同一のゲートラインに接続した複数の絵素を、絵素と同数のソースラインに乗った信号電圧によって一斉に更新し、隣り合うソースラインに信号を同時に出力するソースドライバによって前記信号電圧を供給する交流駆動を行う液晶表示装置であって、前記ソースドライバは正極性の信号または負極性の信号を出力する出力バッファを備え、正極性の信号を出力する場合と負極性の信号を出力する場合とで、それぞれ出力バッファを異なる電圧で駆動することを特徴とする液晶表示装置」
である点で一致し、次の点で相違する。
　
　相違点　　本願補正発明では、液晶の交流駆動として、「ドット反転駆動」を採用し、そのために、「隣り合うソースラインに極性の異なる信号を同時に出力するソースドライバ」を用い、該「ソースドライバ」は、「ソースラインに前記ソースドライバの正極性の信号を出力する第１の出力バッファと、該第１の出力バッファが信号を出力した前記ソースラインに隣り合うソースラインに負極性の信号を出力する第２の出力バッファとを備え、両出力バッファをそれぞれ異なる電圧で駆動する」ものとしたのに対し、引用発明では、液晶の交流駆動として、「ライン反転駆動」を採用し、そのために「隣り合う第１の信号線に同一の極性の信号を同時に出力する」「シフトレジスタ２、スイッチング素子Ｍａ１〜Ｍａｍ、Ｍｂ１〜Ｍｂｍ及びバッファアンプＢａ１〜Ｂａｍ、Ｂｂ１〜Ｂｂｍからなる回路」を用い、該「シフトレジスタ２、スイッチング素子Ｍａ１〜Ｍａｍ、Ｍｂ１〜Ｍｂｍ及びバッファアンプＢａ１〜Ｂａｍ、Ｂｂ１〜Ｂｂｍからなる回路」は、「正極性の信号または負極性の信号を選択的に出力する」「バッファアンプＢｂ１〜Ｂｂｍ　」を備え、正極性の信号を出力する場合と負極性の信号を出力する場合とで、該「バッファアンプＢｂ１〜Ｂｂｍ　」を「それぞれ異なる電圧で駆動する」点
　
（４）判断 
　上記相違点について検討すると、液晶の交流駆動の方式として、ドット反転駆動は、ライン反転駆動、フィールド反転駆動とともに周知であり、その具体的な駆動の方法として、隣り合うソースラインに極性の異なる信号を同時に出力することも、例えば、原査定の拒絶の理由において引用された特開平７−３１８９０１号公報及び特開平７−２３０２６４号公報に示されるように周知の事項である。
　そして、正極性と負極性という極性の異なる信号を出力する場合に、バッファアンプＢｂ１〜Ｂｂｍをそれぞれ異なる電圧で駆動することは引用刊行物に示されているから、引用発明において、「ライン反転駆動」に代えて周知の「ドット反転駆動」を採用すること、及び、その採用に当たり、「シフトレジスタ２、スイッチング素子Ｍａ１〜Ｍａｍ、Ｍｂ１〜Ｍｂｍ及びバッファアンプＢａ１〜Ｂａｍ、Ｂｂ１〜Ｂｂｍからなる回路」により、隣り合う第１の信号線に極性の異なる信号を同時に出力するようにし、そのために、「バッファアンプＢｂ１〜Ｂｂｍ」を、正極性の信号を出力する第１のバッファアンプと、該第１のバッファアンプが信号を出力した第１の信号線に隣り合う第１の信号線に負極性の信号を出力する第２のバッファアンプとからなるものにし、両バッファアンプをそれぞれ異なる電圧で駆動するものとすることは当業者が容易に想到し得たことである。
　
　そして、本願補正発明の奏する効果は、引用発明及び周知技術に基づいて当業者が予測し得る範囲内のものであって格別のものではない。
　
　したがって、本願補正発明は、引用発明及び周知技術に基づいて当業者が容易に発明をすることができたものであるから、特許法第２９条第２項の規定により特許出願の際独立して特許を受けることができないものである。 
　
（５）むすび 
　以上のとおりであるから、本件補正は、特許法第１７条の２第５項において準用する同法第１２６条第４項の規定に違反するものであり、同法第１５９条第１項において読み替えて準用する同法第５３条第１項の規定により却下しなければならないものである。 
　 
第３　本願発明について
１　本願発明
　平成１５年１月２４日付け手続補正書による手続補正は、上記のとおり却下したので、本願発明の請求項１〜５に係る発明は、平成１４年１０月２１日付け手続補正書により補正された明細書及び図面の記載からみて、その特許請求の範囲に記載された事項により特定されるとおりのものと認められるところ、そのうち請求項１に係る発明（以下、「本願発明」という）はつぎのとおりのものである。
「【請求項１】ソースライン及びゲートラインという２種類のバスラインの各交点に絵素をマトリクス状に配置し、同一のゲートラインに接続した複数の絵素を、絵素と同数のソースラインに乗った信号電圧によって一斉に更新し、極性の異なる信号を同時に出力するソースドライバによって前記信号電圧を供給する液晶表示装置において、前記ソースドライバの正極性の信号を出力する第１の出力バッファと、負極性の信号を出力する第２の出力バッファとを異なる電圧で駆動することを特徴とする液晶表示装置。」
　
２　刊行物に記載された発明 
　原査定の拒絶の理由において引用された引用刊行物、その記載事項及び引用刊行物に記載された引用発明は、上記「第２」の「３（２）」のとおりである。
　
３　対比・判断
　本願発明は、上記「第２」で検討した本願補正発明の「隣り合うソースラインに極性の異なる信号を同時に出力するソースドライバによって前記信号電圧を供給するドット反転駆動を行う液晶表示装置」における「隣り合うソースラインに」及び「ドット反転駆動を行う」という限定がなく、また、本願補正発明の「前記ソースドライバは、ソースラインに前記ソースドライバの正極性の信号を出力する第１の出力バッファと、該第１の出力バッファが信号を出力した前記ソースラインに隣り合うソースラインに負極性の信号を出力する第２の出力バッファとを備え、両出力バッファをそれぞれ異なる電圧で駆動する」における「前記ソースドライバは」、「ソースラインに」、「該第１の出力バッファが信号を出力した前記ソースラインに隣り合うソースラインに」、「とを備え」及び「両出力バッファをそれぞれ」という限定がない。
　そうすると、本願発明の発明特定事項を全て含み、さらに他の限定事項を付加したものである本願補正発明が、上記「第２」の「３（３）、（４）」に示したとおり、引用発明及び周知技術に基づいて当業者が容易に発明することができたものであるから、本願発明も、同様の理由により、引用発明及び周知技術に基づいて当業者が容易に発明することができたものであるといえる。
　
４　むすび
　以上のとおりであるから、本願発明は、引用発明及び周知技術に記載された発明に基づいて、当業者が容易に発明をすることができたものであり、特許法第２９条第２項の規定により特許を受けることができない。　そして、本願発明が特許を受けることができないものであるから、その他の請求項に係る発明について審理するまでもなく、本願は拒絶すべきものである。 
　よって、結論のとおり審決する。